(57)【要約】【課題】同じスロット数の環状のステータコアを分割コアで構成する場合に、組み立てを容易にするとともに鉄損の低減を可能にする。【解決手段】スロット14は、全ての底部の周方向幅が挿入部15ａの周方向幅と実質的に同じで、かつ隣接するスロット14の底部の間隔が同じに形成されている。各分割コア12はティースを３個有し、中央のティース13ａは両側面が挿入部の周方向側面に当接し、ティース13ａの両側に位置するティース13ｂは、ティース13ａと対応する側の側面がティース13ａの中心線L1に対して平行に延びるように形成されている。分割コア12は、分布巻きコイル１５を各挿入部１５ａが等間隔で放射方向へ延びるように配置した状態で、その外側から、各ティース13ａ，13ｂが隣接する挿入部15ａの間に向かうように分割コア12を移動させると、挿入部15ａがスロット14内に挿入可能に形成されている。【選択図】図１
2011172440.tif 000002
【特許請求の範囲】
【請求項１】
環状をなし、内周に沿ってティース及びスロットが周方向に交互に形成されたステータコアが、前記スロットの底部の位置で周方向に分割された複数の分割コアで構成され、前記ティースに巻装される分布巻きコイルを備える回転電機のステータであって、
前記スロットは、全ての底部の周方向幅がクリアランスを含めて前記分布巻きコイルのスロットへの挿入部の外径側端部の周方向幅と同じで、
前記分割コアは、前記ティースを３個以上有し、少なくとも１個のティースは側面の一方が前記挿入部の周方向側面に当接するとともに他方の側面と前記挿入部の周方向側面との間にティース先端側ほど幅広となる隙間が生じる形状に形成されており、少なくとも１個のティースは両側面が前記挿入部の周方向側面に当接していることを特徴とする回転電機のステータ。
【請求項２】
前記スロットは、隣接するスロットの底部の間隔が同じに形成され、
前記挿入部は、その外径側端部が前記スロットの底部に当接した状態で前記ステータコアの軸心からの放射方向へ延びるように前記スロットに収容されており、
各分割コアは、少なくともティース及びスロットが同じ形状に形成されるとともに、各ティースは、基端の周方向幅が同じで、先端の周方向幅が基端の周方向幅より狭く形成されている請求項１に記載の回転電機のステータ。
【請求項３】
前記分布巻きコイルの巻線として平角線を使用する請求項１又は請求項２に記載の回転電機のステータ。
【請求項４】
前記分割コアは、前記ティースを奇数個有し、中央に位置するティースは両側面が前記挿入部の周方向側面に当接するように形成されており、そのティースを挟んで位置する２個のティースのうち少なくとも一方のティースは、中央に位置するティースと対応する側の側面と前記挿入部の周方向側面との間にティース先端側ほど幅広となる隙間が生じる形状に形成されている請求項１〜請求項３のいずれか一項に記載の回転電機のステータ。
【請求項５】
前記分割コアの中央に位置するティースより周方向外側に配置されている全てのティースは前記分割コアの中央に位置するティースと対応する側の側面と前記挿入部の周方向側面との間にティース先端側ほど幅広となる隙間が生じる形状に形成されている請求項４に記載の回転電機のステータ。
【請求項６】
前記分割コアは、前記ティースを３個有し、左右対称に形成された中央に位置するティースの両側に位置する両ティースは、中央に位置するティースと対応する側の側面が中央に位置するティースの中心線に対して平行に延びるように形成されている請求項５に記載の回転電機のステータ。
【請求項７】
中央に位置するティースを挟んで両側に位置するティースが中央に位置するティースの中心線に対して左右対称に形成されている請求項６に記載の回転電機のステータ。
【請求項８】
前記分割コアは、前記ティースを偶数個有し、中央に位置する２個のティースのうち少なくとも一方は両側面が前記挿入部の周方向側面に当接するように形成されている請求項１〜請求項３のいずれか一項に記載の回転電機のステータ。
【請求項９】
前記分割コアは、前記ティースを４個有し、中央寄りに位置する２個のティースは両側面が前記挿入部の周方向側面に当接するように形成されており、そのティースを挟んで位置する２個のティースは、前記中央寄りに位置するティースと対応する側の側面が中央寄りに位置する２個のティースの中央寄りの側面と平行に延びるように形成されている請求項８に記載の回転電機のステータ。
【発明の詳細な説明】
【技術分野】
【０００１】
本発明は、回転電機のステータに係り、詳しくは複数の分割コアを結合して環状のステータコアが形成されている分割コア型の回転電機のステータに関する。
【背景技術】
【０００２】
分割コア型の回転電機のステータとして、同一形状の分割コアを複数連結して環状のステータコアが形成されているものがある（例えば、特許文献１参照。）。特許文献１では、図９（ａ），（ｂ）に示すように、分割コア４０は、継鉄部（ヨーク部）４０ａと、継鉄部４０ａからステータコア４１の軸心へ向けて突出する２つのティース４０ｂとを備えており、２つのティース４０ｂ間の中央に１つのスロット４２が形成され、周方向両側にスロット４２の半分を構成する半スロット４２ａが形成されている。そして、環状に連結された隣接する分割コア４０の対向する２つの半スロット４２ａにより１つのスロット４２が構成される。また、分割コア４０は、継鉄部４０ａの周方向一端に位置して径方向外側へ変位するにつれて周方向突出側へ単調に傾斜する傾斜分割面４３ａと、継鉄部４０ａの周方向他端に位置して径方向外側へ変位するにつれて周方向後退側へ単調に傾斜する傾斜分割面４３ｂとをもつ軟磁性薄板材を所定枚数毎に裏返して積層してなる。そして、周方向に隣接する２つの分割コア４０の継鉄部４０ａは、軸方向に重なる扇状ラップ部４４を軸方向に交互に有している。
【先行技術文献】
【特許文献】
【０００３】
【特許文献１】特開２００９−１１０６３号公報
【発明の概要】
【発明が解決しようとする課題】
【０００４】
ところが、前記従来技術の分割コア型の回転電機のステータでは、分割数がスロット数の１／２であり、例えば、スロット数が４８の場合、分割数は２４となって、ステータコア４１を形成するのに２４個の分割コア４０を必要とし、分割数が多いため、組み立てが煩雑であるという問題がある。また、一般に分割コア型のステータでは、隣接する分割コア同士のヨーク部において渦電流が生じ易く、分割数が多いと鉄損が多くなるという問題もある。
【０００５】
本発明は、前記従来の問題に鑑みてなされたものであって、その目的は、同じスロット数の環状のステータコアを分割コアで構成する場合に、組み立てが容易になるとともに鉄損を低減することができる回転電機のステータを提供することにある。
【課題を解決するための手段】
【０００６】
前記の目的を達成するため、請求項１に記載の発明は、環状をなし、内周に沿ってティース及びスロットが周方向に交互に形成されたステータコアが、前記スロットの底部の位置で周方向に分割された複数の分割コアで構成され、前記ティースに巻装される分布巻きコイルを備える回転電機のステータである。そして、前記スロットは、全ての底部の周方向幅がクリアランスを含めて前記分布巻きコイルのスロットへの挿入部の外径側端部の周方向幅と同じに形成されている。前記分割コアは、前記ティースを３個以上有し、少なくとも１個のティースは側面の一方が前記挿入部の周方向側面に当接するとともに他方の側面と前記挿入部の周方向側面との間にティース先端側ほど幅広となる隙間が生じる形状に形成されており、少なくとも１個のティースは両側面が前記挿入部の周方向側面に当接している。
【０００７】
この発明のステータは、その製造（組み付け）の際、分布巻きコイルを環状に配置した状態で、その外側から、分割コアを真っ直ぐ移動させることにより、ステータコアのスロット内に分布巻きコイルの挿入部が支障なく挿入されて、ステータが形成される。各分割コアは、ティースを３個以上有するため、従来技術に比べて、ステータコアのスロット数が同じ場合、ステータコアを構成する分割コアの数が２／３以下になり、ステータの組み立てが容易になるとともに、分割数の低減により、全ての分割箇所における鉄損の合計を低減することができる。
【０００８】
請求項２に記載の発明は、請求項１に記載の発明において、前記スロットは、隣接するスロットの底部の間隔が同じに形成され、前記挿入部は、その外径側端部が前記スロットの底部に当接した状態で前記ステータコアの軸心からの放射方向へ延びるように前記スロットに収容されており、各分割コアは、少なくともティース及びスロットが同じ形状に形成されるとともに、各ティースは、基端の周方向幅が同じで、先端の周方向幅が基端の周方向幅より狭く形成されている。ここで、「少なくともティース及びスロットが同じ形状に形成される」とは、分割コア全体が同じ形状の場合に限らず、ティースに連続するヨーク部（継鉄部）の形状は異なっていてもよいことを意味する。
【０００９】
この発明では、ステータの製造の際、整形済みの分布巻きコイルを各挿入部が等間隔で放射方向へ延びるように配置した状態で、その外側から、分割コアを真っ直ぐ移動させることにより、ステータコアのスロット内に分布巻きコイルの挿入部が支障なく挿入されて、ステータを形成することができる。なお、整形済みの分布巻きコイル」とは、ステータコアに組み付けられた後に整形加工を施す必要がない状態に整形された分布巻きコイルを意味する。
【００１０】
請求項３に記載の発明は、請求項１又は請求項２に記載の発明において、前記分布巻きコイルの巻線として平角線を使用する。この発明では、断面円形や断面楕円形の巻線を使用する場合に比べてコイルの占積率の向上を図ることができる。
【００１１】
請求項４に記載の発明は、請求項１〜請求項３のいずれか一項に記載の発明において、前記分割コアは、前記ティースを奇数個有し、中央に位置するティースは両側面が前記挿入部の周方向側面に当接するように形成されており、そのティースを挟んで位置する２個のティースのうち少なくとも一方のティースは、中央に位置するティースと対応する側の側面と前記挿入部の周方向側面との間にティース先端側ほど幅広となる隙間が生じる形状に形成されている。
【００１２】
この発明では、両側面が挿入部の周方向側面に当接するティース先端の幅に対する、一方の側面が挿入部の周方向側面に当接するティース先端の幅の比を、ティースを偶数個有し、中央寄りに位置する２個のティースの両側面が挿入部の周方向側面に当接するように形成された分割コアに比べて大きくすることができる。ただし、比較は、ステータコアの外径及び内径が同じで、スロット数及びスロット底部の周方向幅が同じ条件で行う。
【００１３】
請求項５に記載の発明は、請求項４に記載の発明において、前記分割コアの中央に位置するティースより周方向外側に配置されている全てのティースは前記分割コアの中央に位置するティースと対応する側の側面と前記挿入部の周方向側面との間にティース先端側ほど幅広となる隙間が生じる形状に形成されている。そのため、分割ティースを組み付ける際に、コイルの挿入部がスロットに入り易くなって組み付けが容易になる。
【００１４】
請求項６に記載の発明は、請求項５に記載の発明において、前記分割コアは、前記ティースを３個有し、左右対称に形成された中央に位置するティースの両側に位置する両ティースは、中央に位置するティースと対応する側の側面が中央に位置するティースの中心線に対して平行に延びるように形成されている。この発明では、ステータコアの外径及び内径が同じで、スロット数及びスロット底部の周方向幅が同じ条件で比較した場合、中央に位置するティースの両側に位置するティースの側面と前記中心線との距離がティースの先端ほど大きくなるように形成した場合に比べて、全てのティース先端の幅の合計値が大きくなる。したがって、分布巻きコイルに流れる電流によって発生した磁束がティースを介して効率良く回転子の回転トルクに変換される。
【００１５】
請求項７に記載の発明は、請求項６に記載の発明において、中央に位置するティースを挟んで両側に位置するティースが中央に位置するティースの中心線に対して左右対称に形成されている。この発明では、左右対称でない場合と異なり、分割コアの組み付け時に、分割コアが裏返しになっているか否かの確認を行わなくても組み付けに支障が無く、分割コアの組み付けが容易である。
【００１６】
請求項８に記載の発明は、請求項１〜請求項３のいずれか一項に記載の発明において、前記分割コアは、前記ティースを偶数個有し、中央に位置する２個のティースのうち少なくとも一方は両側面が前記挿入部の周方向側面に当接するように形成されている。この発明では、各分割コアは、ティースを３個以上、かつ偶数個有するため、従来技術に比べて、ステータコアのスロット数が同じ場合、ステータコアを構成する分割コアの数が１／２以下になり、ステータの組み立てがより容易になるとともに、分割数のより低減によって分割箇所の鉄損の合計をより低減することができる。
【００１７】
請求項９に記載の発明は、請求項８に記載の発明において、前記分割コアは、前記ティースを４個有し、中央寄りに位置する２個のティースは両側面が前記挿入部の周方向側面に当接するように形成されており、そのティースを挟んで位置する２個のティースは、前記中央寄りに位置するティースと対応する側の側面が中央寄りに位置する２個のティースの中央寄りの側面と平行に延びるように形成されている。この発明では、ステータコアの外径及び内径が同じで、スロット数及びスロット底部の周方向幅が同じ条件で比較した場合、全てのティース先端の幅の合計値が、ティースを偶数個有する分割コアの中で最大になる。
【発明の効果】
【００１８】
本発明によれば、同じスロット数の環状のステータコアを分割コアで構成する場合に、組み立てが容易になるとともに鉄損を低減することができる回転電機のステータを提供することができる。
【図面の簡単な説明】
【００１９】
【図１】第１の実施形態を示し、（ａ）はステータの模式断面図、（ｂ）は（ａ）の部分拡大図。
【図２】分割コアを組み付ける際のティースと挿入部との関係を示す模式図。
【図３】第２の実施形態のティースと挿入部との関係を示す模式図。
【図４】第３の実施形態のティースと挿入部との関係を示す模式図。
【図５】第４の実施形態のティースと挿入部との関係を示す模式図。
【図６】別の実施形態のティースと挿入部との関係を示す模式図。
【図７】（ａ）は別の実施形態の分割コアと挿入部との関係を示す模式図、（ｂ）は別の実施形態のステータの模式図。
【図８】（ａ）は別の実施形態の分割コアと挿入部との関係を示す模式図、（ｂ）は別の実施形態のステータの模式図。
【図９】（ａ）は従来技術のステータの部分模式断面図、（ｂ）は分割コアの斜視図。
【発明を実施するための形態】
【００２０】
（第１の実施形態）
以下、本発明を分布巻の３相８極電動機に用いられるステータに具体化した第１実施形態を図１及び図２にしたがって説明する。
【００２１】
図１（ａ）に示すように、ステータ１０は、ステータコア１１が複数（この実施形態では２４個）の分割コア１２を結合して環状に構成されるとともに、ティース１３及びスロット１４がステータコア１１の周方向に交互に形成されている。ステータコア１１には分布巻きコイル１５が、その挿入部１５ａがスロット１４に組み込まれた（挿入された）状態でティース１３に巻装されている。
【００２２】
分割コア１２は、整形済みの分布巻きコイル１５を各挿入部１５ａが等間隔で放射方向へ延びるように配置した状態で、その外側から、分割コア１２を真っ直ぐ移動させた場合に、挿入部１５ａがスロット１４内に挿入可能な形状に形成されている。
【００２３】
詳述すると、分割コア１２は、ステータコア１１がスロット１４の底部の位置で周方向に分割された形状で、かつ、全ての分割コア１２が同じ形状となるように形成されている。分割コア１２は、ヨーク部１２ａの内径側に設けられた奇数個（この実施形態では３個）のティース１３と、偶数個（この実施形態では２個）のスロット１４及び部分スロットとしての２個の半スロット１４ａとを有する。ティース１３は、中央に位置するティース１３ａと、ティース１３ａを挟んで両側に位置する２個のティース１３ｂとで構成されている。中央に位置するティース１３ａはその中心線Ｌ１に対して左右対称に形成され、ティース１３ａを挟んで両側に位置するティース１３ｂはティース１３ａの中心線に対して左右対称に形成されている。各ティース１３ａ，１３ｂは、基端の周方向幅が同じで、先端の周方向幅が基端の周方向幅より狭く形成され、かつティース先端が挿入部１５ａの内径側端部よりステータコア１１の軸心側に突出形成されている。
【００２４】
ティース１３ａは、分割コア１２がステータコア１１を形成した状態において、ティース１３ａの中心線Ｌ１がステータコア１１の軸心（中心）Ｏに向かって延びるように形成されている。ティース１３ａは両側面１６ａが挿入部１５ａの周方向側面に当接するように形成されている。スロット１４の一部を構成するティース１３ａの両側面１６ａは、中心線Ｌ１との成す角度が、スロット１４にその壁面（即ちティース１３ａの側面１６ａ）に接触する状態で挿入された挿入部１５ａの中心線がステータコア１１の軸心Ｏに向かって延びるように位置決めする値に形成されている。
【００２５】
図１（ａ），（ｂ）に示すように、ティース１３ａを挟んで位置する２個のティース１３ｂは、ティース１３ａと対応する側の側面１７ａと、挿入部１５ａの周方向側面との間にティース先端側ほど幅広となる隙間が形成されている。側面１７ａと反対側の側面１７ｂ、即ち半スロット１４ａの一部を構成する側面１７ｂは、挿入部１５ａの周方向側面に当接するように形成されており、スロット１４に側面１７ｂに接触する状態で挿入された挿入部１５ａの中心線がステータコア１１の軸心Ｏに向かって延びるように位置決め可能に形成されている。両ティース１３ｂは、ティース１３ａと対応する側の側面１７ａがティース１３ａの中心線Ｌ１と平行に延びるように形成されており、分割コア１２を挿入部１５ａに組み付ける際に、分割コア１２が組み付け位置へ向かって円滑に移動可能となっている。
【００２６】
分割コア１２は、ティース１３ａの両側に位置する２個のスロット１４と、ティース１３ｂに対してスロット１４と反対側に位置する２個の半スロット１４ａとを有する。半スロット１４ａは、隣接する分割コア１２が結合された状態において、スロット１４を形成するようになっている。スロット１４は、全ての底部の周方向幅が同じで、かつ隣接するスロット１４の底部の間隔（ピッチ）が同じに形成されている。スロット１４は、奥側（ステータコア１１の軸心Ｏと反対側）の幅と、開口側（ステータコア１１の軸心Ｏ側）の幅とが同じに形成されているものと、開口側の幅が奥側の幅より広く形成されているものとがある。この実施形態では、隣接する分割コア１２の対向する半スロット１４ａで形成されるスロット１４が、開口側の幅が奥側の幅と同じに形成されている。
【００２７】
分布巻きコイル１５は、スロット１４への挿入部１５ａの周方向幅がスロット１４の底部の周方向幅とクリアランスを含めて同じに形成されている。「クリアランスを含めて同じ」とは、挿入部１５ａの幅に挿入部１５ａとスロット壁面とのクリアランス（挿入部１５ａをスロット１４へ挿入するために必要な微小クリアランス）を加えた値がスロット底部の周方向幅と実質的に（ほぼ）同じであることを意味する。
【００２８】
クリアランスの値には、スロット１４を形成する際に当該技術分野で妥当とされている値が採用される。そして、分布巻きコイル１５は、挿入部１５ａの外径側端部がスロット１４の底部に当接した状態でステータコア１１の軸心からの放射方向に延びるようにスロット１４に収容されている。即ち、分布巻きコイル１５は、挿入部１５ａの中心線がステータコア１１の軸心Ｏに向かって延び、かつステータコア１１の周方向に等ピッチに配置された状態でスロット１４内に組み込まれている。分布巻きコイル１５は、巻線として平角線が使用されている。
【００２９】
次に、ステータ１０の製造方法（組み立て方法）について説明する。
ステータ１０を製造する（組み立てる）際は、整形済みの分布巻きコイル１５を図１に示す状態と同じ状態となるように、各挿入部１５ａが等間隔で放射方向へ延びるように支持具を用いて環状に配置する。次に各分割コア１２を環状に配置された分布巻きコイル１５の外側に、ティース１３ａが分布巻きコイル１５の中心（図１に示すステータコア１１の軸心Ｏと同じ位置）に向かう状態に配置する。そして、その状態から分割コア１２をティース１３ａの中心線Ｌ１が環状に配置された挿入部１５ａの中心（図１に示すステータコア１１の軸心Ｏと同じ位置）に向かった状態でティース１３ａの中心線Ｌ１に沿って真っ直ぐ移動させる。ティース１３ａの両側に位置するティース１３ｂは、環状に配置された挿入部１５ａの中心（図１に示すステータコア１１の軸心Ｏと同じ位置）に向かって移動するのではないが、ティース１３ａ側の側面１７ａが中心線Ｌ１と平行に形成されている。そのため、図２に２点鎖線で示すように、ティース１３ａが隣接する挿入部１５ａにより構成される空間内に進入した状態で移動する際にも、ティース１３ａ，１３ｂが挿入部１５ａと干渉することなく移動して、図２に実線で示すように、挿入部１５ａの外径側端部がスロット１４の底部に当接した状態でスロット１４に収容される。そして、全ての分割コア１２が分布巻きコイル１５に組み付けられると、隣接する分割コア１２同士が周方向において互いに結合されて環状のステータコア１１が形成される。その後、分割箇所が溶接等により固着されて、ステータ１０の製造が完了する。
【００３０】
両ティース１３ｂの側面１７ａをティース１３ａの中心線Ｌ１と平行に形成する代わりに、両ティース１３ｂの側面１７ａがティース１３ａの中心線Ｌ１と平行となる場合よりも側面１７ａと中心線Ｌ１との距離がティース１３ｂの先端側ほど広くなるように形成しても、分割コア１２を挿入部１５ａに支障なく組み付けることは可能であるが、ティース１３ｂの先端の幅が狭くなる。即ち、両ティース１３ｂの側面１７ａをティース１３ａの中心線Ｌ１と平行に形成した場合が、分割コア１２を挿入部１５ａに支障なく組み付けることができ、ティース１３ｂの先端の幅の合計が最大になる。
【００３１】
この実施形態によれば、以下に示す効果を得ることができる。
（１）ステータ１０は、環状をなし、内周に沿ってティース１３ａ，１３ｂ及びスロット１４が周方向に交互に形成されたステータコア１１が、スロット１４の底部の位置で周方向に分割された複数の分割コア１２で構成され、ティース１３ａ，１３ｂに巻装される分布巻きコイル１５を備える。そして、スロット１４は、全ての底部の周方向幅がクリアランスを含めて前記分布巻きコイルのスロットへの挿入部の外径側端部の周方向幅と実質的に同じに形成されている。分割コア１２は、ティース１３ａ，１３ｂを３個以上有し、少なくとも１個のティースは側面の一方が挿入部１５ａの周方向側面に当接するとともに他方の側面と挿入部１５ａの周方向側面との間にティース先端側ほど幅広となる隙間が生じる形状に形成されており、少なくとも１個のティースは両側面が挿入部１５ａの周方向側面に当接している。したがって、従来技術に比べて、ステータコア１１のスロット数が同じ場合、ステータコア１１を構成する分割コア１２の数が２／３以下になり、ステータ１０の組み立てが容易になるとともに、分割数の低減により、全ての分割箇所における鉄損の合計を低減することができる。
【００３２】
（２）スロット１４は、隣接するスロット１４の底部の間隔が同じに形成され、挿入部１５ａは、その外径側端部がスロット１４の底部に当接した状態でステータコア１１の軸心Ｏからの放射方向へ延びるようにスロット１４に収容されている。そして各分割コア１２は、同じ形状に形成されるとともに、各ティース１３ａ，１３ｂは、基端の周方向幅が同じで、先端の周方向幅が基端の周方向幅より狭く形成されている。したがって、ステータ１０の組み立てがより容易になり、しかも、ステータコア１１を構成する分割コア１２が１種類でよくなる。
【００３３】
（３）分布巻きコイル１５の巻線として平角線を使用するため、断面円形や断面楕円形の巻線を使用する場合に比べてコイルの占積率の向上を図ることができる。
（４）分割コア１２は、ティース１３ａ，１３ｂを奇数個有し、中央に位置するティース１３ａは両側面１６ａが挿入部１５ａの周方向側面に当接するように形成されている。そして、そのティース１３ａを挟んで位置する２個のティース１３ｂは、ティース１３ａと対応する側の側面１７ａと挿入部１５ａの周方向側面との間にティース１３ｂの先端側ほど幅広となる隙間が生じる形状に形成されている。したがって、両側面１６ａが挿入部１５ａの周方向側面に当接するティース１３ａの先端幅に対する、一方の側面１７ｂが挿入部１５ａの周方向側面に当接するティース１３ｂの先端幅の比を、ティースを偶数個有し、中央寄りに位置する２個のティースの両側面が挿入部の周方向側面に当接するように形成された分割コアに比べて大きくすることができる。ただし、比較は、ステータコア１１の外径及び内径が同じで、スロット数及びスロット底部の周方向幅が同じ条件で行う。
【００３４】
（５）分割コア１２は、中央に位置するティース１３ａがその中心線Ｌ１に対して左右対称に形成され、ティース１３ａを挟んで両側に位置するティース１３ｂがティース１３ａの中心線Ｌ１に対して左右対称に形成されている。そのため、全てのティース先端の幅の合計値を、同数のティースを備え、中央に位置するティース１３ａを挟んで両側に位置するティース１３ｂが、ティースの中心線Ｌ１に対して左右対称に形成されていない分割コアと比較した場合、その合計値が大きくなる。したがって、分布巻きコイル１５に流れる電流によって発生した磁束がティース１３ａ，１３ｂを介して効率良く回転子の回転トルクに変換される。
【００３５】
（６）分割コア１２は、ティース１３ａ，１３ｂを３個有し、中央に位置するティース１３ａの両側に位置するティース１３ｂは、ティース１３ａと対応する側の側面１７ａがティース１３ａの中心線Ｌ１に対して平行に延びるように形成されている。そのため、ステータコア１１の外径及び内径が同じで、スロット数及びスロット底部の周方向幅が同じ条件で比較した場合、ティース１３ｂの側面１７ａと中心線Ｌ１との距離がティース１３ｂの先端ほど大きくなるように形成した場合に比べて、全てのティース先端の幅の合計値が大きくなる。その結果、分布巻きコイル１５に流れる電流によって発生した磁束がティース１３ａ，１３ｂを介してより効率良く回転子の回転トルクに変換される。
【００３６】
（７）分割コア１２は、中央に位置するティース１３ａの両側面１６ａが、ティース１３ａの中心線Ｌ１に対して左右対称に形成され、かつ挿入部１５ａの周方向側面に当接するように形成されている。したがって、分割コア１２を分布巻きコイル１５に組み付ける際、分割コア１２をティース１３ａの先端が隣接する挿入部１５ａの間に向かうように移動させると、中心線Ｌ１が環状に配置された挿入部１５ａの中心（軸心）に向かって真っ直ぐ延びる位置以外から移動させても、支障なく挿入部１５ａがスロット１４に挿入されて挿入部１５ａの外径側端部がスロット１４の底部に当接した状態になる。
【００３７】
（８）各分割コア１２は、ティース１３ａ，１３ｂの数が同じため、ステータコア１１を構成する分割コア１２としてティースの数が異なる複数種の分割コアを用いる場合に比べて、回転電機の設計の自由度が高くなる。
【００３８】
（第２の実施形態）
次に第２の実施形態を図３にしたがって説明する。この実施形態では、各分割コア１２が合計３個のティース１３ａ，１３ｂを有し、全ての分割コア１２が同一形状に形成されるとともに、中央に位置するティース１３ａがその中心線Ｌ１に対して左右対称に形成され、その両側面１６ａが挿入部１５ａの周方向側面と当接するように形成されている点は第１の実施形態と同じである。しかし、ティース１３ａの両側に位置するティース１３ｂの形状が第１の実施形態と大きく異なっている。第１の実施形態と基本的に同一部分は同一符号を付して詳しい説明を省略する。
【００３９】
図３に示すように、ティース１３ａの一方の側（図３においては右側）に位置するティース１３ｂは、ティース１３ａと同様にその両側面１６ａが挿入部１５ａの周方向側面と当接するように形成されている。即ち、分割コア１２は、ティース１３ａとティース１３ａの一方の側に位置するティース１３ｂとの間に形成されたスロット１４の中心線Ｌ２が、スロット１４に挿入された挿入部１５ａの中心線と一致する状態に形成されている。また、両ティース１３ｂのティース１３ａと対応する側の側面１７ａは、互いに平行に形成されている。
【００４０】
そして、分割コア１２を整形済みの分布巻きコイル１５に組み付ける場合、分割コア１２は、第１の実施形態と異なり、ティース１３ａの中心線Ｌ１が環状に配置された挿入部１５ａの中心に向かうように真っ直ぐ移動させない。分割コア１２は、図３に２点鎖線で示すように、ティース１３ａとティース１３ａの一方の側に位置するティース１３ｂとの間に形成されたスロット１４の中心線Ｌ２が、挿入部１５ａの中心線と一致する状態で真っ直ぐ移動させる。これにより、分割コア１２は、ティース１３ａの側面１６ａと、一方のティース１３ｂの側面１７ａとが挿入部１５ａに摺接しながら所定の組み付け位置まで円滑に移動する。
【００４１】
したがって、この第２の実施形態によれば、第１の実施形態の（１）〜（３）及び（８）と同様な効果に加えて以下の効果を得ることができる。
（９）ティース１３ａの両側に位置するティース１３ｂは、ティース１３ａの中心線Ｌ１に対して対称に形成されていないが、一方のティース１３ｂはその両側面１７ａ，１７ｂが挿入部１５ａの周方向側面と当接するように形成され、両ティース１３ｂのティース１３ａと対応する側の側面１７ａは、互いに平行に形成されている。そのため、全てのティース先端の幅の合計値は第１の実施形態の場合と同じになり、分布巻きコイル１５に流れる電流によって発生した磁束がティース１３ａ，１３ｂを介して効率良く回転子の回転トルクに変換される。
【００４２】
（第３の実施形態）
次に第３の実施形態を図４にしたがって説明する。この実施形態では、全ての分割コア２２が同一形状に形成されている点は前記両実施形態と同様であるが、分割コア２２の構成が前記両実施形態と異なり、その他の構成は同様である。第１の実施形態と基本的に同一部分は同一符号を付して詳しい説明を省略する。
【００４３】
図４に示すように、分割コア２２は、偶数個（この実施形態では４個）のティース２３と、奇数個（この実施形態では３個）のスロット１４及び部分スロットとしての２個の半スロット１４ａとを有する。ティース２３は、中央寄りに位置する２個のティース２３ａと、両ティース２３ａの外側に位置する２個のティース２３ｂとで構成され、各ティース２３ａ，２３ｂは、分割コア２２の中心線Ｌ３に対して左右対称に形成されている。各ティース２３ａ，２３ｂは、基端の周方向幅が同じで、先端の周方向幅が基端の周方向幅より狭く形成され、かつティース先端が挿入部１５ａの内径側端部よりステータコア１１の軸心側に突出形成されている。
【００４４】
分割コア２２は、ステータコア１１を形成した状態において、中心線Ｌ３がステータコア１１の軸心（中心）Ｏに向かって延びるように形成されている。ティース２３ａは両側面２６ａが挿入部１５ａの周方向側面に当接するように形成されている。スロット１４の一部を構成するティース２３ａの両側面２６ａは、中心線Ｌ３との成す角度が、スロット１４にその壁面（即ちティース２３ａの側面２６ａ）に接触する状態で挿入された挿入部１５ａの中心線がステータコア１１の軸心Ｏに向かって延びるように位置決めする値に形成されている。両ティース２３ａを挟んで位置する２個のティース２３ｂは、ティース２３ａと対応する側の側面２７ａが２個のティース２３ａの中央寄りの側面２６ａ、即ち中心線Ｌ３側の側面２６ａと平行に延びるように形成され、側面２７ａと反対側の側面２７ｂが挿入部１５ａの周方向側面に当接するように形成されている。
【００４５】
そして、分割コア２２を整形済みの分布巻きコイル１５に組み付ける場合、分割コア２２は、図４に２点鎖線で示すように、分割コア２２の中心線Ｌ３が、挿入部１５ａの中心線と一致する状態で真っ直ぐ移動させる。これにより、分割コア１２は、両ティース２３ａの各側面２６ａが挿入部１５ａに摺接し、両ティース２３ｂの側面２７ａが挿入部１５ａの外径側端部に摺接しながら所定の組み付け位置まで円滑に移動する。
【００４６】
したがって、この第３の実施形態によれば、第１の実施形態の（１）〜（３）及び（８）と同様な効果に加えて以下の効果を得ることができる。
（１０）各分割コア２２は、ティース２３ａ，２３ｂを３個以上、かつ偶数個有するため、従来技術に比べて、ステータコア１１のスロット数が同じ場合、ステータコア１１を構成する分割コア２２の数が１／２以下になり、ステータ１０の組み立てがより容易になるとともに、分割数のより低減によって分割箇所の鉄損の合計をより低減することができる。
【００４７】
（１１）分割コア２２は、ティース２３ａ，２３ｂを４個有し、中央寄りに位置する２個のティース２３ａは両側面２６ａが挿入部１５ａの周方向側面に当接するように形成されている。また、両ティース２３ａを挟んで位置する２個のティース２３ｂは、ティース２３ａと対応する側の側面２７ａが２個のティース２３ａの中央寄りの側面２６ａと平行に延びるように形成されている。したがって、ステータコア１１の外径及び内径が同じで、スロット数及びスロット底部の周方向幅が同じ条件で比較した場合、全てのティース２３ａ，２３ｂの先端の幅の合計値が、ティース２３を偶数個有する分割コア２２の中で最大になる。
【００４８】
（第４の実施形態）
次に第４の実施形態を図５にしたがって説明する。この実施形態では、各分割コア２２が合計４個のティース２３ａ，２３ｂを有し、全ての分割コア２２が同一形状に形成されている点は第３の実施形態と同様であるが、分割コア２２の構成が第３の実施形態と異なり、その他の構成は同様である。第３の実施形態と基本的に同一部分は同一符号を付して詳しい説明を省略する。
【００４９】
図５に示すように、分割コア２２の中心線Ｌ３寄りの両ティース２３ａのうちの一方（図５においては右側）のティース２３ａのみ、その両側面２６ａが挿入部１５ａの周方向側面と当接するように形成され、そのティース２３ａの中心線Ｌ４がステータコア１１の軸心（中心）Ｏに向かって延びるように形成されている。即ち、分割コア２２は、中心線Ｌ３が、スロット１４に挿入された挿入部１５ａの中心線と一致する状態に形成されている。また、残りの３個のティース２３ａ，２３ｂは、中心線Ｌ４側の側面２６ａ，２７ａが中心線Ｌ４と平行に形成されている。
【００５０】
そして、分割コア２２を整形済みの分布巻きコイル１５に組み付ける場合、分割コア２２は、中心線Ｌ４が、環状に配置された挿入部１５ａの中心（図１に示すステータコア１１の軸心Ｏと同じ位置）に向かった状態で中心線Ｌ４に沿って真っ直ぐ移動させる。これにより、分割コア１２は、一方のティース２３ａの両側面２６ａが挿入部１５ａに摺接し、残りの３個のティース２３ａ，２３ｂの中心線Ｌ４側の側面２６ａ，２７ａが挿入部１５ａの外径側端部に摺接しながら所定の組み付け位置まで円滑に移動する。
【００５１】
したがって、この第４の実施形態によれば、第１の実施形態の（１）〜（３），（８）及び第３の実施形態の（１０）と同様な効果を得ることができる。
実施形態は前記に限定されるものではなく、例えば、次のように具体化してもよい。
【００５２】
○  分割コア１２が有するティースの数は３個や４個に限らず、５以上でもよい。ただし、分割コア１２のティース数がステータコア１１のティース数を割り切れる値であることが好ましい。しかし、分割コア１２が有するティース数が５以上になると、ステータコア１１の外径、ヨーク部１２ａの厚さ（径方向の長さ）、ティースの長さ、スロット１４の深さを第１の実施形態と同じにした場合、分割コア１２の両端に位置するティースの先端の幅が狭くなりすぎる。例えば、分割コア１２が５個のティース１３ａ，１３ｂを有する場合、ステータコア１１の外径、ヨーク部１２ａの厚さ、ティース１３ａ，１３ｂの長さ、スロット１４の深さを第１の実施形態と同じにすると、図６に二点鎖線で示すように、両端に位置するティース１３ｂの先端の幅が狭くなりすぎる。しかし、例えば、図６に実線で示すように、ティース１３ａ，１３ｂの長さと、スロット１４の径方向の長さとを短くするとともに、それに対応して挿入部１５ａを構成する巻線の積層数を１０層から７層と少なくすると、分割コア１２の両端に位置するティース１３ｂの先端の幅が必要な大きさ以上になる。分割コア１２が有するティース数が多くなるほど分割数は少なくなるが、上限は、ステータコアの外径、ヨーク部の厚さ、ティースの長さ、スロットの深さと、ティースの先端幅の必要長さとにより決まる。
【００５３】
○  ステータコア１１の分割箇所は、スロット１４の底部の位置であればよく、分割面がスロット１４の底部の中央で径方向に延びる構成に限らない。例えば、図７（ａ）に示すように、分割面１８がスロット１４の底部の一端側（図７（ａ）においては左端側）に位置する状態で径方向に延びるように形成してもよい。この構成では、隣接する分割コア１２間に位置するスロット１４は２個の半スロット１４ａで構成されるのではなく、スロット１４の一方の壁面が一方の分割コア１２に形成され、スロット１４の他方の壁面と底部とが他方の分割コア１２に形成される。この場合、分割コア１２が線対称の形状に形成されていない点を除き、第１の実施形態と同じ構成であり、第１の実施形態と同様の効果が得られる。
【００５４】
○  ステータコア１１は、環状をなし、内周に沿ってティース及びスロットが周方向に交互に形成され、スロットの底部の位置で周方向に分割された複数の分割コアで構成され、分割コアは少なくともティース及びスロットが同じ形状として、例えば、図７（ｂ）に示すような構成としてもよい。この場合、ステータコア１１の基本的な形状は同じで、径方向に延びる分割面１８の位置がスロット１４の底部の中央ではなく、底部の一端側に形成された２種類の分割コア１２Ａ，１２Ｂを結合して環状に形成される。ティースが４個以上の場合でもよい。
【００５５】
○  ステータコア１１は、全て同じティース数の分割コア１２により構成される必要はなく、異なるティース数の分割コア１２により構成してもよい。例えば、ティース数が３個の分割コア１２と、ティース数が４個の分割コア１２とから構成してもよい。
【００５６】
○  ステータコア１１の分割面１８は径方向に延びる構成に限らない。例えば、図８に示すように、分割面１８を構成する各分割コア１２の一方の端部、図８では中央のティース１３ａの中心線Ｌ１に対して右側となる端部が、中心線Ｌ１と平行に延びるように形成してもよい。この構成でも、分割コア１２を中心線Ｌ１がステータコア１１の軸心Ｏに向かう状態で直線移動させることにより、所定の組み付け位置まで円滑に移動させることができる。
【００５７】
○  分割コア１２は、隣接するスロット１４の底部の間隔が同じでなくてもよい。
○  分布巻きコイル１５の挿入部１５ａは、その外径側端部がスロット１４の底部に当接した状態でステータコア１１の軸心Ｏからの放射方向へ延びるようにスロット１４に収容された構成に限らず、放射方向に対して多少傾いた状態で収容されてもよい。
【００５８】
○  ステータコア１１を構成する各分割コアは、少なくともティース及びスロットが同じ形状に形成されていなくてもよい。例えば、ティース及びスロットの少なくとも一方が異なる形状に形成された複数種の分割コアでステータコア１１を構成してもよい。
【００５９】
○  分割コア１２の各ティースは、基端の周方向幅が異なったものが混在してもよい。
○  分割コア１２は、各ティースの先端が分布巻きコイル１５の挿入部１５ａの内径側端部よりステータコア１１の軸心側に突出形成された構成に限らない。例えば、ティースの先端と挿入部１５ａの内径側端部とがステータコア１１の軸心を中心とした同一円周上に存在する構成にしてもよい。
【００６０】
○  第３の実施形態のように、分割コア１２が偶数個のティースと奇数個のスロット１４及び２個の半スロット１４ａを有する場合、分割コア１２の形状は左右対称でなくてもよい。その場合、各ティースは中央に位置するスロット１４の中心線に対して左右対称に形成されるのが好ましい。
【００６１】
○  複数のスロット１４内に複数相のコイルが分布巻きとなるように組み込まれていればよく、相数は３相に限らず、２相あるいは４相以上であってもよい。
○  分布巻きコイル１５は、波巻き、重ね巻き、同心巻きのいずれであってもよい。分布巻きコイル１５を同心巻きで組み付ける場合、コイルをステータコア１１に組み付けた後、絶縁性樹脂等からなる抜け止め部材をスロット１４の開口部に挿入し、挿入部１５ａのスロット１４からの離脱を防止するのが好ましい。
【００６２】
○  分割コア１２，２２，１２Ａ，１２Ｂのヨーク部１２ａの端部は平面ではなく、特許文献１の分割コアのように、分割コアを接合する際に軸方向に重なって当接するラップ部を設けてもよい。
【符号の説明】
【００６３】
Ｌ１，Ｌ２，Ｌ３，Ｌ４…中心線、Ｏ…軸心、１０…ステータ、１１…ステータコア、１２，１２Ａ，１２Ｂ，２２…分割コア、１３，１３ａ，１３ｂ，２３，２３ａ，２３ｂ…ティース、１４…スロット、１５…分布巻きコイル、１５ａ…挿入部、１６ａ，１７ａ，１７ｂ，２６ａ，２７ａ，２７ｂ…側面。
【図１】
2011172440.tif 000003
【図２】
2011172440.tif 000004
【図３】
2011172440.tif 000005
【図４】
2011172440.tif 000006
【図５】
2011172440.tif 000007
【図６】
2011172440.tif 000008
【図７】
2011172440.tif 000009
【図８】
2011172440.tif 000010
【図９】
2011172440.tif 000011